(57)【要約】【課題】  本発明は、部品数が減り簡単に構造が改善された磁気記録／再生装置及びその駆動方法を提供する。【解決手段】  本発明に係る磁気記録／再生装置は、テープをキャプスタン軸に接触するようガイドするピンチローラを支持し、デッキに回転自在に設置される回動レバーと、回動レバーと弾性部材により連結されデッキに回転自在に設置されたレビューアームと、レビューアームに一側が連結され他側がメイン摺動部材に連結された加圧レバーとを含む。加圧レバーはメイン摺動部材から動力を伝達されレビューアームを弾性部材が引張される方向に加圧し、回動レバーは弾性部材が引張されながら回転してピンチローラをキャプスタン軸に密着させる。【選択図】      図３
2006004615.tif 000002
【特許請求の範囲】
【請求項１】
駆動モータとキャプスタン軸が設置されたデッキと、メイン摺動部材及び前記駆動モータから動力を伝達され前記メイン摺動部材へ動力を伝達するカムギアを含み、ローディングしたテープを前記キャプスタン軸に密着させる磁気記録／再生装置において、
前記テープが前記キャプスタン軸に接触するようガイドするピンチローラを支持し、前記デッキに回転自在に設置された回動レバーと、
前記回動レバーと弾性部材により連結され前記デッキに回転自在に設置されたレビューアームと、
前記レビューアームに一側が連結され他側が前記メイン摺動部材に連結された加圧レバーとを含み、
前記加圧レバーは、前記メイン摺動部材から動力を伝達され前記レビューアームを前記弾性部材が引張される方向に加圧し、前記回動レバーは前記弾性部材が引張されながら前記ピンチローラを前記キャプスタン軸に密着させることを特徴とする磁気記録／再生装置。
【請求項２】
前記回動レバーと前記レビューアームは同一な回転軸を有することを特徴とする請求項１に記載の磁気記録／再生装置。
【請求項３】
前記加圧レバーは結合突起を備え、
前記メイン摺動部材には前記結合突起が結合され摺動自在に第１カム溝が形成され、
前記メイン摺動部材が移動時、前記結合突起が前記第１カム溝で摺動しながら前記加圧レバーを回転させることを特徴とする請求項２に記載の磁気記録／再生装置。
【請求項４】
前記レビューアームは加圧突起を備え、
前記加圧レバーには前記加圧突起が結合され摺動自在に第２カム溝が形成され、
前記加圧レバーが回転時、前記加圧突起が第２カム溝で摺動しながら前記レビューアームを回転させることを特徴とする請求項３に記載の磁気記録／再生装置。
【請求項５】
前記加圧レバーは、一端に前記デッキに回動自在に連結される回動ピンを更に備え、
前記回動ピンと前記第２カム溝間に前記結合突起が設けられることを特徴とする請求項４に記載の磁気記録／再生装置。
【請求項６】
前記レビューアームの一端は前記回動レバーと同軸に結合され、他端には前記テープの走行をガイドするレビューポールが設置されることを特徴とする請求項１に記載の磁気記録／再生装置。
【請求項７】
ピンチローラが設置された回動レバーを移動させテープをキャプスタン軸側にローディングさせるステップと、
前記回動レバーを加圧し前記テープを前記キャプスタン軸に密着させながら前記テープにテンションを提供する加圧ステップとを含むことを特徴とする磁気記録／再生装置の駆動方法。
【請求項８】
前記ローディングさせるステップは、
前記キャプスタン軸が支持されたデッキに設置された加圧レバーを回転させるステップと、
前記加圧レバーと連結されたレビューアームが一方向に回転するステップと、
前記レビューアームと弾性部材により連結された回動レバーが回転するステップとを含むことを特徴とする請求項７に記載の磁気記録／再生装置の駆動方法。
【請求項９】
前記回動レバーが回転するステップでは前記レビューアームと同一軸を中心に回転することを特徴とする請求項８に記載の磁気記録／再生装置の駆動方法。
【請求項１０】
前記レビューアームが回転するステップと前記回動レバーが回転するステップは同時に行われることを特徴とする請求項８又は９に記載の磁気記録／再生装置の駆動方法。
【請求項１１】
前記加圧ステップは、
前記レビューアームを前記回動部材から離隔させ、前記レビューアームに支持されたレビューポールの位置を移動させ前記テープにテンションを加えるステップと、
前記レビューアームの離隔により引張された弾性部材が前記回動部材を前記キャプスタン軸側に弾性加圧するステップとを含むことを特徴とする請求項８に記載の磁気記録／再生装置の駆動方法。
【請求項１２】
前記テンションを加えるステップでは、
前記レビューアームを前記回動部材より更に回転させ前記回動部材からレビューアームを離隔させることを特徴とする請求項１１に記載の磁気記録／再生装置の駆動方法。
【請求項１３】
前記キャプスタン軸に対する前記テープの密着力を解除しながら前記テープのテンションを解除するステップとを更に含むことを特徴とする請求項７に記載の磁気記録／再生装置の駆動方法。
【請求項１４】
前記解除するステップは、前記テープの走行停止モードで行われることを特徴とする請求項１３に記載の磁気記録／再生装置の駆動方法。
【請求項１５】
解除するステップは、
前記キャプスタン軸が設置されたデッキに設けられた加圧レバーを初期位置側に所定の角度復帰させるステップと、
前記加圧レバーに連結され、前記テープを支持するレビューポールを支持したレビューアームが前記回動レバー側に復帰するステップと、
前記回動レバーと前記レビューアームとを連結する弾性部材の引長力が解除され、前記キャプスタン軸に対する前記ピンチローラの加圧力が解除されるステップとを含むことを特徴とする請求項１３又は１４に記載の磁気記録／再生装置の駆動方法。
【請求項１６】
駆動モータから動力を伝達されピンチローラが設置された回動レバーを回転させ、デッキにローディングされたテープをキャプスタン軸に密着させる磁気記録／再生装置の駆動方法において、
加圧レバーが回転するステップと、
前記加圧レバーと連結されたレビューアームが一方向に回転するステップと、
前記レビューアームと弾性部材により連結された回動レバーが回転するステップと、
前記回動レバーに設置された前記ピンチローラが前記テープを前記キャプスタン軸に密着させるステップとを含むことを特徴とする磁気記録／再生装置の駆動方法。
【請求項１７】
前記レビューアームが前記弾性部材を引張させるステップと、
前記弾性部材が前記回動レバーを引っ張るステップとを更に含むことを特徴とする請求項１６に記載の磁気記録／再生装置の駆動方法。
【発明の詳細な説明】
【技術分野】
【０００１】
本発明は、テープカセットから解かれて走行するテープをスキャニングし情報を記録／再生する磁気記録／再生装置及びその駆動方法に関する。
【背景技術】
【０００２】
一般に、磁気記録／再生装置は図１に示すように、走行する磁気テープをスキャニングし情報を記録したり記録された情報を読み取るヘッドドラム１１が支持されるデッキ１０と、デッキ１０にローディング／アンローディング方向に摺動自在に設置されるサブデッキ２０を備える。デッキ１０にはサブデッキ２０のリールテーブル２１、２２に取付けられたテープカセットからテープを引出してヘッドドラム１２を含んだ所定経路を経て走行できるよう案内するガイド手段が設けられる。
【０００３】
前記ガイド手段は通常、テンションポール１３ａと、一対のポールベース組立体１４、１５と、キャプスタン軸１６と、ピンチローラ１７ａ及びレビューポール１８ａなどを備える。
【０００４】
テンションポール１３ａは、サブデッキ２０の移動により連動するテンションアーム１３に支持され、テープカセットの供給リールから供給されるテープのテンションを調整する。例えば、プレーモードでは走行するテープのテンションに対応して能動的に移動しながらテープのテンションを調整する。また、停止モードでは駆動モータ１２の動力により駆動する所定のカムギアによりテンションアーム１３が連動することから、テープのテンションを解除できるよう位置制御される。
【０００５】
ポールベース組立体１４、１５は駆動モータ１２により回転するカムギア１９に連動しローディング／アンローディング方向に移動するよう設置される。即ち、ポールベース組立体１４、１５はローディング時テープを引出してヘッドドラム１１に所定距離だけ巻かれるよう案内し、アンローディング時元の位置に復帰する。
【０００６】
キャプスタン軸１６はデッキ１０に設置されるキャプスタンモータ（図示せず）により駆動する。キャプスタン軸１６が回転しながらピンチローラ１７ａとの間に走行するテープをガイドする。ここで、前記キャプスタンモータはテープカセットのテープリールを駆動させるための動力を各リールテーブル２１、２２に提供する。
【０００７】
ピンチローラ１７ａはデッキ１０に回動自在に設置されるピンチアーム１７に設置される。ピンチアーム１７はテープのローディング時、時計周りに回動することによりピンチローラ１７ａがキャプスタン軸１６側に移動される。また、テープ走行時にはテープをキャプスタン軸１６に密着させるようピンチアーム１７は時計周りに更に加圧される。ピンチアーム１７はローディングされるサブデッキ２０によりキャプスタン軸１６側に移動し、サブデッキ２０のアンローディング時にはスプリング（図示せず）の復元力により元の位置に復帰する。
【０００８】
または、デッキ１０にはピンチアーム１７の移動を制御するためのメイン摺動部材と、メイン摺動部材に連動する加圧部材が設置され得る。前記メイン摺動部材はカムギア１９に連動して往復摺動しながら加圧部材及びピンチアーム１７を連動させる。かかるメイン摺動部材と、加圧部材による構成は公知の技術である。
【０００９】
レビューポール１８ａはピンチローラ１７ａに隣接するよう設置されテープカセットのテープ回収リールで回収されるテープの走行をガイドする。レビューポール１８ａはデッキ１０に回動自在に設置されるレビューアーム１８に支持される。レビューアーム１８はピンチアーム１７と同様にサブデッキ２０に連動するか、メイン摺動部材に連動するよう連結された構成が一般的である。
【００１０】
一方、前記のような構成を有する従来の磁気記録／再生装置は部品が多く且つ構成が複雑である。それで、重くて製造コストがアップする問題点がある。従って、最近は部品をできる限り削除して簡単な構成の磁気記録／再生装置に対する開発が活発に行われている。例えば、サブデッキを削除し一つのデッキのみを用いた構成が開発されている。なお、テープの走行をガイドしたり、テンションを調整するガイド手段の中で部品を削除して構成を単純化する試みが進行されている。
【００１１】
このような場合、部品数を減らしながら前記テープのテンションを制御し、ピンチローラなどの駆動を正常に制御する簡単な構成の開発が求められる。
【発明の開示】
【発明が解決しようとする課題】
【００１２】
本発明は、前記のような問題点を鑑みてなされたものであって、その目的は部品数を減らし、簡単に構造が改善された磁気記録／再生装置及びその駆動方法を提供することにある。
【課題を解決するための手段】
【００１３】
前記目的を達成するための本発明による磁気記録／再生装置は、駆動モータとキャプスタン軸が設置されたデッキと、メイン摺動部材及び前記駆動モータから動力を伝達され前記メイン摺動部材へ動力を伝達するカムギアを含み、ローディングしたテープを前記キャプスタン軸に密着させる磁気記録／再生装置において、前記テープを前記キャプスタン軸に接触されるようガイドするピンチローラを支持し、前記デッキに回転自在に設置された回動レバーと、前記回動レバーと弾性部材により連結され前記デッキに回転自在に設置されたレビューアームと、前記レビューアームに一側が連結され他側が前記メイン摺動部材に連結された加圧レバーとを含み、前記加圧レバーは前記メイン摺動部材から動力を伝達され前記レビューアームを前記弾性部材が引張される方向に加圧し、前記回動レバーは前記弾性部材が引張されながら回転して前記ピンチローラを前記キャプスタン軸に密着させることを特徴とする。
【００１４】
ここで、前記回動ラバーと前記レビューアームは同一な回転軸を有することがよい。
【００１５】
なお、前記加圧レバーは結合突起を備え、前記メイン摺動部材には前記結合突起が結合され摺動自在に第１カム溝に形成されており、前記メイン摺動部材が移動時、前記結合突起が前記第１カム溝で摺動しながら前記加圧レバーを回転させることがよい。
【００１６】
なお、前記レビューアームは加圧突起を備え、前記加圧レバーには前記加圧突起が結合され摺動自在に第２カム溝に形成されており、前記加圧レバーが回転時、前記加圧突起が第２カム溝で摺動しながら前記レビューアームを回転させることがよい。
【００１７】
なお、前記加圧レバーは一端に前記デッキに回動自在に連結される回動ピンを更に備え、前記回動ピンと前記第２カム溝との間に前記結合突起が設けられたことがよい。
【００１８】
なお、前記レビューアームの一端は前記回動レバーと同軸に結合され、他端には前記テープの走行をガイドするレビューポールが設置されたことがよい。
【００１９】
なお、前記目的を達成するための本発明による磁気記録／再生装置の駆動方法は、ピンチローラの設置された回動レバーを移動させテープをキャプスタン軸側にローディングさせるステップと、前記回動レバーを加圧して前記テープを前記キャプスタン軸に密着させながら前記テープにテンションを提供する加圧ステップとを含むことを特徴とする。
【００２０】
ここで、前記ローディングさせるステップは、前記キャプスタン軸が支持されたデッキに設置された加圧レバーを回転させるステップと、前記加圧レバーと連結されたレビューアームの一方向に回転するステップと、前記レビューアームと弾性部材により連結された回動レバーが回転するステップとを含むことが好ましい。
【００２１】
なお、前記回動レバーが回転するステップでは前記レビューアームと同一な軸を中心に回転することがよい。
【００２２】
なお、前記レビューアームが回転するステップと前記回動レバーが回転するステップは同時に行われることがよい。
【００２３】
なお、前記加圧ステップは、前記レビューアームを前記回動部材から離隔させ、前記レビューアームに支持されたレビューポールの位置を移動させ前記テープにテンションを加えるステップと、前記レビューアームの離隔により引張された弾性部材が前記回動部材を前記キャプスタン軸側に弾性加圧するステップとを含むことがよい。
【００２４】
なお、前記テンションを加えるステップでは、前記レビューアームを前記回動部材より更に回転させ前記回動部材からレビューアームを離隔させることがよい。
【００２５】
なお、前記キャプスタン軸に対して前記テープの密着力を解除させながら前記テープのテンションを解除させるステップとを更に含むことがよい。
【００２６】
なお、前記解除させるステップは、前記テープの走行停止モードで行われることがよい。
【００２７】
なお、前記解除させるステップは、前記キャプスタン軸が設置されたデッキに設けられた加圧レバーを初期位置側に所定の角度復帰させるステップと、前記加圧レバーに連結され、前記テープを支持するレビューポールを支持したレビューアームが前記回動レバー側に復帰するステップと、前記回動レバーと前記レビューアームとを連結する弾性部材の引長力が解除され、前記キャプスタン軸に対する前記ピンチローラの加圧力が解除されるステップとを含むことがよい。
【００２８】
なお、前記目的を達成するための本発明による磁気記録／再生装置の駆動方法は、駆動モータから動力を伝達されピンチローラが設置された回動レバーを回転させデッキにローディングしたテープをキャプスタン軸に密着させる磁気記録／再生装置の駆動方法において、加圧レバーが回転するステップと、前記加圧レバーと連結されたレビューアームが一方向に回転するステップと、前記レビューアームと弾性部材により連結された回動レバーが回転するステップと、前記回動レバーに設置された前記ピンチローラが前記テープを前記キャプスタン軸に密着させるステップとを含むことを特徴とする。
【００２９】
ここで、前記レビューアームが前記弾性部材を引張させるステップと、前記弾性部材が前記回動レバーを引っ張るステップとを更に含むことが好ましい。
【発明の効果】
【００３０】
本発明によると、メイン摺動部材の動力を用いてレビューアームを制御することにより、ピンチローラをキャプスタン軸に密着させることができる。
【００３１】
なお、レビューアームの動作を制御することに従って、停止モード時テープに加えられたテンションを解除することができる。
【００３２】
従って、従来に比べ部品数を減らすことができて、製造コストが低減し空間確保のための設計が容易になる。また、組立工程が減り生産性が向上する利点がある。
【発明を実施するための最良の形態】
【００３３】
以下、添付した図面に示すように、本発明の好適な実施形態を詳説する。
（実施形態）
図２及び図３に示すように、本発明の実施形態による磁気記録／再生装置１００は、ヘッドドラム３１が回転自在に設置されるデッキ４０と、カムギア５１と、メイン摺動部材５３と、加圧レバー５５と、回動レバー６１と、レビューアーム６３、弾性部材６５などから構成される。
【００３４】
デッキ４０は従来のサブデッキが削除された、いわゆるワンデッキとして、ヘッドドラム３１にテープが所定距離だけ巻かれるようテープをローディングさせる一対のポールベース組立体３２、３３が移動可能に設置される。また、デッキ４０には連結ギア３４、３５を介してカムギア５１へ動力を伝達するための駆動モータ３６が設置される。
【００３５】
なお、デッキ４０にはローディングされたテープの走行をガイドするためのテンションポールユニット４１と、固定ポール４２及びキャプスタンモータ４３が設置される。テンションポールユニット４１はカムギア５１に連動され回動するテンションアーム４１ａと、テンションアーム４１ａの端部に設置されテープの走行をガイドするテンションポール４１ｂを備える。テンションポールユニット４１は走行するテープのテンションに従って能動的に移動しながらテープの走行テンションを調整する。
【００３６】
キャプスタンモータ４３はテープの走行をガイドするキャプスタン軸４３ａを有する。キャプスタンモータ４３はテープカセットのテープリールが安着されるリールテーブル４４、４５へ動力を提供する。キャプスタンモータ４３の動力により選択されたリールテーブル４４、４５の中で左側のリールテーブル４４ではテープを供給し、右側のリールテーブル４５ではテープを回収するよう駆動される。
【００３７】
カムギア５１は連結ギア３５により動力を伝達され回転するようデッキ４０に設置される。カムギア５１はメイン摺動部材５３のカムピン５３ａが結合されるカム溝５１ａを有する。カムギア５１が回転すると、メイン摺動部材５３のカムピン５３ａがカム溝５１ａに連動されメイン摺動部材５３がＭ１及びＭ２方向に選択的に摺動する。ここで、メイン摺動部材５３はカムギア５１の回転軸５１ｂに結合しガイドされるガイドスリット５３ｂを有する。
【００３８】
なお、メイン摺動部材５３は図４に示すように、加圧レバー５５の結合突起５５ａが結合される第１カム溝５３ｃを有する。
【００３９】
加圧レバー５５は結合突起５５ａを基準にして、一端に設けられた回動ピン５５ｂと、他端に形成された第２カム溝５５ｃを有する。回動ピン５５ｂはデッキ４０の軸溝４０ａに回転自在に結合される。第２カム溝５５ｃにはレビューアーム６３の加圧突起６３ａが結合される。
【００４０】
かかる構成によると、メイン摺動部材５３が図３の状態でＭ２方向に移動すれば、結合突起５５ａが第１カム溝５３ｂに沿って移動し、加圧レバー５５を回動ピン５５ｂを中心に反時計周りに回転させる。すると、レビューアーム６３の加圧突起６３ａが第２カム溝５５ｃに沿って連動することにより、レビューアーム６３は図５Ａに示すように、矢印Ｒ方向に回転する。
【００４１】
一方、レビューアーム６３は、デッキ４０の回転軸６９に回転自在に設置される。レビューアーム６３の自由端部にはテープを支持してテープに一定のテンションを提供するためのレビューポール６４が設置される。
【００４２】
回動レバー６１はレビューアーム６３と同軸に設置される。即ち、回動レバー６１はデッキ４０の回転軸６９に回転自在に結合される。また、回動レバー６１にはローディングしたテープをキャプスタン軸４３ａに接触するようガイドするピンチローラ６２が回転自在に設置される。
【００４３】
このように、回動レバー６１とレビューアーム６３は同一な回転軸６９を有し、回動レバー６１はレビューアーム６３との干渉を避けるためレビューアーム６３の下部へ所定間隔離れてデッキ４０に回転自在に設置される。また、回動レバー６１とレビューアーム６３は弾性部材６５をもって連結される。
【００４４】
弾性部材６５は、引長時に回動レバー６１を時計周りに加圧し、ピンチローラ６２をキャプスタン軸４３ａに密着させる。このため、弾性部材６５はスプリング、ゴムのような材質で製作される。
【００４５】
前記のような構成を有する磁気記録／再生装置２００の駆動方法を図３、図５Ａ、図５Ｂ、図６Ａ、図６Ｂ及び図７に基づいて説明する。
【００４６】
テープカセットがデッキ４０に取付けられると、駆動モータ３６の駆動によりローディングモードが行われる（Ｓ１０）。即ち、図３の状態でカムギア５１が矢印方向に回転されメイン摺動部材５３をＭ１方向に移動させる。すると、図５Ａに示すように、加圧レバー５５が反時計周りに所定角度回転する（Ｓ１１）。即ち、メイン摺動部材５３がＭ１方向に移動するに従って、加圧レバー５５の結合突起５５ａはメイン摺動部材５３の第１カム溝５３ｂに沿って連動する。従って、加圧レバー５５は回動ピン５５ｂを中心に反時計周りに回転する。
【００４７】
加圧レバー５５が反時計周りに所定角度回転するに従って、レビューアーム６３と回動レバー６１が共にＲ方向に回転される（Ｓ１２）。即ち、加圧突起６３ａは加圧レバー５５の第２カム溝５５ｃで摺動しながら連動され、レビューアーム６３が回転軸６９を中心に時計周りである矢印Ｒ方向に回転する。また、回動レバー６１は弾性部材６５により密着し合っている状態であるので、回動部材６１とレビューアーム６３は共に所定角度回転しながらテープをキャプスタン軸１８ａ側に引出す。このとき、図５Ｂに示すように、テープ７０はピンチローラ６２によりキャプスタン軸４３ａに密着されていない状態である。また、レビューポール６４がピンチローラ６２に隣接されてテープ７０にはレビューポール６４によるテンションが提供されず解除された状態である。
【００４８】
前記のようにテープをテープカセットから引出してローディング状態に待機し、プレー信号が入力されれば（Ｓ１３）、プレーモードを行う（Ｓ２０）。
【００４９】
プレーモード（Ｓ２０）を行うためには、先ず図５Ａの状態でメイン摺動部材５３をＭ１方向に更に移動させ、加圧レバー５５を反時計周りに更に回転させる（Ｓ２１）。即ち、メイン摺動部材５３をＭ１方向に最大限移動させる。すると、図６Ａに示すように、加圧レバー５５は反時計周りに最大限回転する。
【００５０】
すると、レビューアーム６３は図５Ａの状態で図６Ａに示すように、Ｒ方向に更に回動され回動レバー６１から離隔される（Ｓ２２）。レビューアーム６３が回動レバー６１から離隔された距離だけ弾性部材６５はＴ方向に引張される（Ｓ２３）。また、弾性部材６５の引長力により回動部材６１がＸ方向、即ち、キャプスタン軸４３ａ側に加圧する（Ｓ２４）。従って、図６Ｂに示すように、ピンチローラ６２はテープをキャプスタン軸４３ａに密着させ、レビューポール６４はピンチローラ６２から離隔されテープに所定テンションを提供する（Ｓ２５）。
【００５１】
ここで、前記ステップ（Ｓ２１、Ｓ２２、Ｓ２３、Ｓ２４、Ｓ２５）はほとんど同時に行われることで、本実施形態では力の伝達順序を基準に説明した。
【００５２】
一方、前記のように、テープにテンションが加えられ、キャプスタン軸４３ａにテープが密着された状態でテープ走行が行われる（Ｓ２６）。前記ステップ（Ｓ２６）はテープに情報を記録する記録モード、再生する再生モードなどを含む。また、前記ステップ（Ｓ２６）には走行するテープのテンションをテンションポールユニット４１（図２参照）の移動によって制御できる。
【００５３】
続いて、前記モード（Ｓ２０）の進行中にストップ信号が入力されれば（Ｓ２７）、テープを停止させる停止モードを行う（Ｓ３０）。具体的には、先ず図６Ａの状態でメイン摺動部材５３をＭ２方向に所定距離復帰させ、加圧レバー５５を図５Ａに示すような状態で所定角度時計周りに回転させる（Ｓ３１）。すると、レビューアーム６３は加圧レバー５５に連動し図５Ａ及び図５Ｂに示すように、回動レバー６１に隣接するよう復帰される（Ｓ３２）。従って、引張された弾性部材６５も復帰して引長力が解除される（Ｓ３３）。すると、結果的にピンチローラ６２のキャプスタン軸４３ａに対する密着力が解除されると同時に、レビューポール６４により提供されたテープのテンションが解除される（Ｓ３４）。従って、停止モード（Ｓ３０）でテープにテンションが加えられた状態で放置されることを防止し、テープの損傷も防止することができる。
【００５４】
以上、説明したように、本発明の実施形態による磁気記録／再生装置２００は、簡単な構造によりレビューアーム６３を用いてピンチローラ６２をキャプスタン軸４３ａに密着させることができる。
【００５５】
なお、レビューアーム６３の動きをメイン摺動の動力を用いて制御することにより、停止モードでのテープテンションを調整することができる。従って、従来のように、テンションポールユニットなどを別のカムギアを用いて制御する必要がないので、部品減少による製造コストの低減を図ることができる。
【００５６】
なお、本発明の実施形態による磁気記録／再生装置は、既存のサブデッキを省略した一つのデッキを用いた構造であり、回動レバーとレビューアームを同軸に設置しメイン摺動部材の動力を用いて制御する簡単な構造を有する。従って、部品数が減り、それによる製品の重さも軽減でき、製造コストを低減することができる。
【００５７】
以上では、本発明の原理を例示するために本発明の好適な実施形態について図示し説明したが、本発明は上述した特定の実施形態に限定されるものではなく、特許請求の範囲で請求している本発明の要旨を逸脱することなく本発明に対する種々の変形及び修正が可能であることは当業者であれば理解できることであろう。よって、そのような変更及び修正は本発明の特許請求の範囲に含まれるものと見なすべきである。
【産業上の利用可能性】
【００５８】
本発明の磁気記録／再生装置及びその駆動方法によると、テープを記録媒体とし情報を記録したり再生する記録／再生装置特に、カムコーダ、ＶＴＲなどに適用可能である。
【図面の簡単な説明】
【００５９】
【図１】従来の磁気記録／再生装置を示す平面図である。
【図２】本発明の実施形態による磁気記録／再生装置を示す概略的な斜視図である。
【図３】本発明の実施形態による磁気記録／再生装置の平面図である。
【図４】図３のデッキ、メイン摺動部材、加圧レバー、レビューアーム、弾性部材、回動レバーの相互関係を示す分解斜視図である。
【図５Ａ】磁気記録／再生装置の動作を説明するための平面図である。
【図５Ｂ】磁気記録／再生装置の動作を説明するための平面図である。
【図６Ａ】磁気記録／再生装置の動作を説明するための平面図である。
【図６Ｂ】磁気記録／再生装置の動作を説明するための平面図である。
【図７】本発明の実施形態による磁気記録／再生装置の駆動方法を説明するためのフローチャートである。
【符号の説明】
【００６０】
３１  ヘッドドラム
３２、３３  ポールベース組立体
３４、３５  連結ギア
３６  駆動モータ
４０  デッキ
４１  テンションポールユニット
４３  キャプスタンモータ
４４、４５  リールテーブル
５１  カムギア
５３  メイン摺動部材
５５  加圧レバー
６１  回動レバー
６２  ピンチローラ
６３  レビューアーム
６４  レビューポール
６５  弾性部材
【図１】
2006004615.tif 000003
【図２】
2006004615.tif 000004
【図３】
2006004615.tif 000005
【図４】
2006004615.tif 000006
【図５Ａ】
2006004615.tif 000007
【図５Ｂ】
2006004615.tif 000008
【図６Ａ】
2006004615.tif 000009
【図６Ｂ】
2006004615.tif 000010
【図７】
2006004615.tif 000011